(57)【特許請求の範囲】
【請求項１】
前面に扉を備えた貯蔵室が配置された箱本体を有し、前記箱本体の天面と背面に渡って凹ませた凹部を形成し、前記凹部に備えられた圧縮機は下容器に固着した複数の脚が弾性部材を介して前記凹部に設置されるものであって、前記凹部の圧縮機設置面の表面に設けた複数の略円筒状のピンに前記弾性部材を配設し、前記脚と前記弾性部材の接触面より上方側を前記弾性部材の脚支持部とし、前記脚支持部と前記ピンとは水平方向において緩衝空間を介して配置されるもので、前記弾性部材の脚支持部の少なくとも上端部においてピンとの間の緩衝空間の空間距離を脚支持部の水平方向の肉厚以上とするとともに、前記脚支持部よりも下方側に備えられ、前記弾性部材の鉛直方向に空間を備えた振動減衰部の高さをピン支持部の高さの８０％以上１１０％以下とした冷蔵庫。
【請求項２】
脚支持部の最上端において、脚支持部とピンとが接触している上部ピン接触部を備えた請求項１に記載の冷蔵庫。
【請求項３】
上部ピン接触部の鉛直方向の肉厚が１ｍｍ以下である請求項２に記載の冷蔵庫。
【請求項４】
ピンの外周に複数のリブを備え、前記リブは対角線上に備えられた請求項１から３のいずれか一項に記載の冷蔵庫。
【発明の詳細な説明】
【技術分野】
【０００１】
本発明は、圧縮機を冷蔵庫の天面に積載した冷蔵庫に関するものである。
【背景技術】
【０００２】
以下、図面を参照しながら上記従来の冷蔵庫について説明する。
【０００３】
従来の冷蔵庫は、冷蔵庫本体の下部後方に機械室を配置し、この機械室内に圧縮機等の冷凍サイクルの高圧側構成物を収容するものが一般的であったが、近年、冷蔵庫は、使い勝手の良さや省スペースの観点から収納性の向上、また、地球環境の観点から省エネルギー性の向上が求められており、この要請に応えるため、機械室を貯蔵室内において使い勝手の悪い冷蔵庫本体の天面を用い、さらには冷蔵庫本体の背面上部に設置することで使い勝手を向上させた上で、さらに温度の高い圧縮機によって温度が上昇しやすい機械室を天面に構成することで放熱性を向上させることで省エネルギーを実現するという方法が提案されている（例えば、特許文献１参照）。
【０００４】
図９は、特許文献１に記載された従来の冷蔵庫の構成を示すものである。
【０００５】
冷蔵庫の箱本体１は、上から冷蔵室２、野菜室３、冷凍室４という構成からなり、冷蔵室２は冷蔵室回転扉５を有し、野菜室３は、野菜室引出扉６、冷凍室４は、冷凍室引出扉７を有している。
【０００６】
そして、庫内ファン８と蒸発器９等からなる冷却ユニット１０は、最下段の貯蔵室として収納部を形成する冷凍室４の開口部の高さ寸法と概ね同じ高さとして冷凍室４の背面後部に設置し、圧縮機１１を使い勝手の良くない冷蔵庫の箱本体１の天面１１ａと背面１１ｂに渡って冷蔵室２側に凹ませた凹部１２に設置している。
【０００７】
冷蔵室２には、食品等を収納する為の棚１２ｂが複数個設けられており、最上段の棚１２ｂで区画された最上段収納スペース１２ｃと第２段収納スペース１２ｄにかけては、箱本体１の背面上部に設けた凹部１２が、凸部１２ｅとして出張っている。
【０００８】
このような構成において、圧縮機１１の移動に伴い、圧縮機１１の収納体積分だけ冷凍室４及び野菜室３の高さが低くなるので、冷蔵室２と野菜室３を区画する区画壁の位置を下方に下げることが出来、野菜室３内の収納物の取り出しが容易となる。
【先行技術文献】
【特許文献】
【０００９】
【特許文献１】特開平１１−１８３０１４号公報
【発明の概要】
【発明が解決しようとする課題】
【００１０】
しかしながら、上記従来の構成では、冷蔵庫の上隅部位に出来た凸部１２ｅが意匠的に見栄えが悪く、収納性も低下するので、出来る限り凸部１２ｅを小さくするため、凹部１２を低くする必要があり、凹部１２の高さを決定する最大因子である圧縮機１１の高さを低くする課題があった。
【００１１】
また、圧縮機１１を設置する凹部１２の高さを極力小さくするためには、圧縮機１１の形式や形態からすれば回転圧縮機機構を有する横型のロータリ圧縮機等が有効な手段とな
り得る。
【００１２】
しかしながら、ロータリ圧縮機は一般的に小型化を実現するために機械部を容器である圧縮機シェル内面に直止めしており、運転時の振動が外部に伝播しやすい構造となっている。
【００１３】
このため、冷蔵庫の箱本体１に振動が伝達する懸念のある圧縮機上部配置型の冷蔵庫においては、特に圧縮機１１の位置が圧縮機下部設置型の従来冷蔵庫と比べて使用者の耳に近くなるため、圧縮機１１の振動や振動伝達による共振音が不快に感じられやすくなる問題があり、圧縮機設置スペースの低減による使い勝手や外観品位の向上と低振動，低騒音化の両立を図ることが困難であるという課題があった。
【００１４】
本発明は、上記従来の課題を解決するものであって、収納効率と使い勝手の両立および省エネルギーを図り、さらには外観意匠や冷却性能の品位を損なわずに、低騒音、低振動を実現できる冷蔵庫を提供することを目的とする。
【課題を解決するための手段】
【００１５】
上記課題を解決する為に、本発明の冷蔵庫は前面に扉を備えた貯蔵室が配置された箱本体を有し、前記箱本体の天面と背面に渡って凹ませた凹部を形成し、前記凹部に備えられた圧縮機は下容器に固着した複数の脚が弾性部材を介して前記凹部に設置されるものであって、前記凹部の圧縮機設置面の表面に設けた複数の略円筒状のピンに前記弾性部材を配設し、前記脚と前記弾性部材の接触面より上方側を前記弾性部材の脚支持部とし、前記脚支持部と前記ピンとは水平方向において緩衝空間を介して配置されるもので、前記弾性部
材の脚支持部の少なくとも上端部においてピンとの間の緩衝空間の空間距離を脚支持部の水平方向の肉厚以上とするとともに、前記脚支持部よりも下方側に備えられ、前記弾性部材の鉛直方向に空間を備えた振動減衰部の高さをピン支持部の高さの８０％以上１１０％以下としたものである。
【００１６】
これによって、圧縮機の振動の伝搬経路を長くとることができ、さらに弾性部材を使用して振動を大幅に減衰させることが可能となるで、不快な振動や、振動に起因する騒音発生を大幅に軽減することが出来る高品位の冷蔵庫を提供することできる。
【発明の効果】
【００１７】
本発明の冷蔵庫は、冷蔵庫の天面側に圧縮機を設置した場合であっても、不快な振動や、振動に起因する騒音発生を大幅に軽減することが出来る高品位の冷蔵庫を提供することできる。
【図面の簡単な説明】
【００１８】
【図１】本発明の実施の形態１における冷蔵庫の概略断面図
【図２】同実施の形態の冷蔵庫の概略背面図
【図３】同実施の形態の冷蔵庫の概略部品展開図
【図４】同実施の形態の冷蔵庫の圧縮機の縦断面図
【図５】同実施の形態の冷蔵庫の圧縮機の水平断面図
【図６】同実施の形態の圧縮機の脚部分の斜視図
【図７】同実施の形態の冷蔵庫の弾性部材ａの縦断面図
【図８】本発明の実施の形態２における冷蔵庫の弾性部材の縦断面図
【図９】従来の冷蔵庫の概略断面図
【発明を実施するための形態】
【００１９】
第１の発明は、前面に扉を備えた貯蔵室が配置された箱本体を有し、前記箱本体の天面と背面に渡って凹ませた凹部を形成し、前記凹部に備えられた圧縮機は下容器に固着した複数の脚が弾性部材を介して前記凹部に設置されるものであって、前記凹部の圧縮機設置面の表面に設けた複数の略円筒状のピンに前記弾性部材を配設し、前記脚と前記弾性部材の接触面より上方側を前記弾性部材の脚支持部とし、前記脚支持部と前記ピンとは水平方向において緩衝空間を介して配置されるもので、前記弾性部材の脚支持部の少なくとも上端部においてピンとの間の緩衝空間の空間距離を脚支持部の水平方向の肉厚以上とするとともに、前記脚支持部よりも下方側に備えられ、前記弾性部材の鉛直方向に空間を備えた振動減衰部の高さをピン支持部の高さの８０％以上１１０％以下としたものである。
【００２０】
これによって、冷蔵庫の下段の収納性を向上するとともに、圧縮機の振動が脚支持部を介して直接ピンへ伝達しないため、圧縮機から冷蔵庫への振動伝達を低減できるので、低振動の高品位の冷蔵庫を提供することができる。
【００２１】
また、弾性部材の脚支持部の少なくとも上端部においてピンとの間の空間距離を脚支持部の肉厚よりも同等以上としたことによって、特に圧縮機の低周波数運転時に脚の振動量が増加しても十分な空間距離を有しており弾性部材と脚支持部が接触しないため、圧縮機から冷蔵庫への振動伝達を低減できるので、低振動の高品位の冷蔵庫を提供することができる。
【００２２】
第２の発明は、第１の発明において、ピンと上部ピン接触部が少なくとも一箇所で接触しているものである。これによって、あらかじめピンと上部ピン接触部が少なくとも一箇所で接触させることにより、圧縮機の振動量が増加しても、徐々にピンと上部ピン接触部の接触量が増加するので、接触による異音発生を抑制することができるため、圧縮機から冷蔵庫への振動伝達を低減できるので、低振動の高品位の冷蔵庫を提供することができる。
【００２３】
第３の発明は、第２の発明において、上部ピン接触部の肉厚が１ｍｍ以下であるものである。これによって、上部ピン接触部からピンへの振動伝達量を最小限に抑えることがで
きるため、圧縮機から冷蔵庫への振動伝達を低減できるので、低振動の高品位の冷蔵庫を提供することができる。
【００２４】
第４の発明は、第１から３のいずれかの発明において、ピンの外周に少なくとも一箇所のリブを対角線上に有するものである。これによって、上部ピン接触部からピンへの振動伝達量を抑えることができるため、圧縮機から冷蔵庫への振動伝達を低減できるので、低振動の高品位の冷蔵庫を提供することができる。
【００２５】
以下、本発明による圧縮機の実施の形態について、図面を参照しながら説明する。なお、この実施の形態によってこの発明が限定されるものではない。
【００２６】
（実施の形態１）
図１は、本発明の実施の形態１における冷蔵庫の概略断面図、図２は、同実施の形態における冷蔵庫の概略背面図、図３は、同実施の形態における冷蔵庫の概略部品展開図、図４は、同実施の形態における冷蔵庫の圧縮機の縦断面図、図５は、同実施の形態における冷蔵庫の圧縮機の水平断面図、図６は、同実施の形態における冷蔵庫の圧縮機の脚部分の斜視図である。図７は、同実施の形態における冷蔵庫の弾性部材ａの図である。
【００２７】
以下に図１から図７に基づいて本発明の実施の形態について説明する。なお、背景技術と同一構成については同一符号を付して詳細な説明を省略する。
【００２８】
図１から図３において、箱本体１は、ＡＢＳなどの樹脂体を真空成形した内箱１３とプリコート鋼板などの金属材料を用いた外箱１４とで構成された空間に発泡充填する断熱体１５を注入してなる断熱壁を備えている。断熱体１５は、例えば硬質ウレタンフォームやフェノールフォームやスチレンフォームなどが用いられる。また、発泡材としては、ハイドロカーボン系のシクロペンタンを用いると、温暖化防止の観点でさらに良い。
【００２９】
箱本体１は複数の断熱区画に区分されており、前面には、扉１５ａがある。扉１５ａは、上部を回転扉式、下部を引出式とする構成をとってある。断熱区画された貯蔵室１５ｂは、上から冷蔵室２、並べて設けた引出式の切替室１６および製氷室１７と引出式の野菜
室３と引出式の冷凍室４となっている。各断熱区画には、それぞれ断熱性を有した扉１５ａが、ガスケット１８を介して設けられている。上から冷蔵室回転扉５、切替室引出扉１９、製氷室引出扉２０、野菜室引出扉６、冷凍室引出扉７である。
【００３０】
冷蔵室回転扉５には、扉ポケット２１が収納スペースとして設けられており、庫内には複数の収納棚２２が設けられている。
【００３１】
次に箱本体１の詳細を説明する。箱本体１の外箱１４は、天面２３の奥側を切り取ったＵ字曲げした外殻パネル２４と底面パネル２５と背面パネル２６と凹部２７を形成する機械室パネル２８とをシール性を確保して組み立てることで構成されている。組み立てられた箱本体１は、天面２３と背面２８ａに渡る部分に凹部２７が形成されている。凹部２７は、庫内の最上段棚２９と内箱１３で区画された最上段収納スペース２９ａ及び第２段棚３０と最上段棚２９で区画された第２段棚収納スペース３０ａ側に凸部３０ｂとして出張っている。また、より好ましくは凸部３０ｂの室内側底壁面３０ｃと最上段棚２９の棚底部３０ｄを略同一水平面としている。
【００３２】
また、底面パネル２５と背面パネル２６には、指先を引っ掛けることが可能な窪みからなる取っ手が設けられている。
【００３３】
また、内箱１３は、外箱１４より一回り小さく、背面奥部が内側に窪んだ構成となっており、外箱１４の中に組み入れることで断熱体１５が発泡充填される空間が箱本体１に形成される。したがって機械室パネル２８の左右部も断熱体１５が発泡充填されて断熱壁が形成され、強度も確保されることになる。
【００３４】
次に冷凍サイクルについて説明する。冷凍サイクルは、凹部２７の設置面２８ｂに配設した圧縮機１１と圧縮機１１に接続された吐出配管３１と外殻パネル２４の天面２３や側面、凹部２７や底面パネル２５に設けた凝縮器（図示せず）と、減圧器であるキャピラリー３２と水分除去を行うドライヤー（図示せず）と、野菜室３と冷凍室４の背面で庫内ファン８を近傍に配置した蒸発器９と、吸入配管３３を環状に接続して構成されている。
【００３５】
凹部２７には、ビスなどで固定された天面カバー３４が設けられており、凹部２７に設けられた圧縮機１１や機械室ファン３４ａ、凝縮器（図示せず）、ドライヤー（図示せず）、吐出配管３１、吸入配管３３の一部などを収納している。天面カバー３４の上部は、天面２３と略同一平面としており、圧縮機１１の頂部３４ｂは天面２３より低い位置にある。
【００３６】
キャピラリー３２と吸入配管３３は、概ね同等の長さの銅管であり、端部を残して、熱交管可能にはんだ付けされている。キャピラリー３２は、減圧の為、内部流動抵抗が大きい細径の鋼管が用いられており、その内径は、０．６ミリから１．０ミリ程度で長さとともに調節して減圧量を設計する。
【００３７】
吸入配管３３は、圧力損失を低減する為に大径の銅管が用いられており、その内径は、６ミリから８ミリ程度である。又、キャピラリー３２と吸入配管３３は、熱交換器部３５の長さを確保するために、冷蔵室２の背面を蛇行させることでコンパクトにまとめて、内箱１３と背面パネル２６との間にある断熱体１５に埋設されている。キャピラリー３２と吸入配管３３は、一方の端部を内箱１３の野菜室３後方付近から突き出して蒸発器９と接続されており、他方の端部を機械室パネル２８の設置面２８ｂの縁に設けた切欠部から上方に突き出して、ドライヤー（図示せず）や凝縮器（図示せず）、圧縮機１１と各々接続されている。
【００３８】
また、吸入配管３３と吐出配管３１には、圧縮機１１との接続部の近傍に、接続の柔軟性を持たせる為のＵターン部３６が設けられており、凹部２７に収納されている。さらに組立て作業性やサービス性を向上させることを狙いに、配管の密集度を軽減し、後方から配管接続部を目視できるようにするために、配管接続部は、圧縮機１１の背面側に面して圧縮機１１の左右に振り分けて配置されている。
【００３９】
次に、圧縮機１１の詳細について説明する。
【００４０】
図４から図６において、厚さ２から４ｍｍの圧延鋼板を深絞り成形により形成してなるすり鉢状の下容器１０１と逆すり鉢状の上容器１０２を係合し、係合部分を全周溶接接合して密閉容器１０３が形成され、密閉容器１０３の内部には、冷媒１０４と底部に冷凍機油１０５が貯留されている。密閉容器１０３の下側には、脚１０６が固着されており、脚１０６に係止された弾性部材２００を介して、冷蔵庫の凹部２７に設けたピン１０８に、弾性部材２００を遊嵌させることで位置を固定している。
【００４１】
また、脚１０６は密閉容器１０３内に支持部材である支持部１１３ａとスプリング１１４を介して弾性支持されるともに、圧縮機１１の上下方向の重心Ａと、圧縮機の脚１０６と弾性部材２００との当接面１０６ａとの距離Ｂが、圧縮機１１の上下方向の重心Ａと支持部材の下端面１１３ｂとの距離Ｃよりも短くなるように構成している。
【００４２】
本実施の形態のように、圧縮機の高さ方向の重心Ａが、圧縮機の脚１０６と弾性部材２００との当接面１０６ａよりも上方にあるものにおいては、圧縮機の内部における支持部材の下端面１１３ｂよりも圧縮機の脚１０６と弾性部材２００との当接面１０６ａの方が上方に位置している。
【００４３】
また、弾性部材２００の高さを、圧縮機１１の凹部２７への設置面Ｄと圧縮機１１の最下端部Ｅとの距離Ｆよりも大きくしている。
【００４４】
脚１０６は密閉容器１０３に固着する固着面１０６ｂと上方に立ち上がる曲げ部１０６ｃと、弾性部材を係止する弾性部材配置下面１０６ｄを有しており、固着面１０６ｂと曲げ部１０６ｃと弾性部材配置下面１０６ｄのうちの少なくとも２箇所にまたいで延在するリブ１０６ｅを設けている。
【００４５】
電動要素１１０は、回転子１１１と突極集中巻の固定子１１２よりなる。圧縮要素１１３は電動要素１１０の上方に構築され、電動要素１１０によって駆動される。
【００４６】
電動要素１１０と圧縮要素１１３は、ともに密閉容器１０３に収納され、下容器１０１の底部と固定子１１２の下端に支持部材である支持部１１３ａとスプリング１１４とを介して弾性支持されている。
【００４７】
この固定子１１２の下端に備えられた支持部１１３ａとスプリング１１４とが機械部を弾性支持する支持部材である。
【００４８】
下容器１０１の一部を構成するターミナル１１５は、密閉容器１０３の内外で電気（図示せず）を連絡するもので、リード線１１６を通して電動要素１１０に電気を供給する。また密閉容器１０３には、冷凍システムの吐出配管３１に接続する為の吐出チューブ１２０とＵターン部３６に接続する為の吸入チューブ１２１と、冷凍システムに冷媒１０４を封入後、システムを閉空間にするための封止チューブ１２２が設けられている。
【００４９】
圧縮要素１１３の運転により、冷媒１０４は、Ｕターン部３６と吸入チューブ１２１を
通って、密閉容器１０３の内部に吸込まれ、吐出管１４４から吐出チューブ１２０へと吐出される。
【００５０】
この吐出管１４４は圧縮要素１１３と密閉容器１０３の吐出チューブ１２０とを弾性的に接続している。
【００５１】
次に、圧縮要素１１３の詳細を以下に説明する。
【００５２】
シャフト１３０は、回転子１１１を圧入や焼嵌めにより固定した主軸部１３１と、主軸部１３１に対して偏芯して形成された偏芯部１３２を有する。シリンダブロック１３３は、略円筒形の圧縮室１３４を有するとともに、シャフト１３０の主軸部１３１を軸支する為の軸受部１３５を有し、電動要素１１０の上方に形成されている。
【００５３】
この時、回転子１１１の圧縮要素側には回転子凹部１１１ａが形成されており、この回転子凹部１１１ａ内に軸受部１３５が延出している。
【００５４】
ピストン１３６は、圧縮室１３４に遊嵌され、連結手段１３７でシャフト１３０の偏芯部１３２に連結され、シャフト１３０の回転運動をピストン１３６の往復運動に変換し、ピストン１３６が圧縮室１３４の空間を拡大、縮小することで密閉容器１０３内の冷媒１０４を吸入マフラー１４０の吸入口１４１から吸込み、シリンダヘッド１４２の内部に設けられたバルブ（図示せず）を介して、シリンダブロック１３３に形成された吐出マフラー１４３と吐出管１４４、吐出チューブ１２０を通って密閉容器１０３の外部の吐出配管３１に吐出する。
【００５５】
高圧配管である吐出管１４４は、内径１．５ｍｍから３．０ｍｍの鋼管で、Ｌ字やＵ字曲げを使って柔軟性を持つように形成されており、圧縮要素１１３と密閉容器１０３の吐出チューブ１２０とは弾性をもって接続されている。
【００５６】
以上のように構成された冷蔵庫について、以下その動作、作用を説明する。
まず各断熱区画の温度設定について説明する。冷蔵室２は、冷蔵保存の為に凍らない温度を下限に通常１〜５℃で設定されている。切替室１６は、ユーザーの設定により、温度設定の変更が可能であり、冷凍室温度帯から冷蔵、野菜室温度帯まで所望する温度帯に設定することが出来る。また製氷室１７は、独立の氷保存室であり、−１８〜−１０℃の比較的高い温度で設定されている。
【００５７】
野菜室３は、冷蔵室２と同等もしくは若干高い温度設定の２〜７℃にすることが多い。冷凍室４は、冷凍保存のために通常−２２〜−１８℃で設定されているが、保存状態の向上のために、さらに低い例えば−３０迄の低温で設定されることもある。
【００５８】
各室は、異なる温度設定を効率よく維持する為に、断熱壁によって区分されているが断熱壁は、断熱体１５を、内箱１３と外箱１４の間に発泡充填することにより形成される。断熱体１５は、十分な断熱性能を有するとともに、箱本体１の強度を確保する。
【００５９】
次に冷凍サイクルの動作について説明する。庫内の設定された温度に応じて温度センサー（図示せず）および制御基板（図示せず）からの信号により冷却運転が開始および停止される。冷却運転開始の指示によって圧縮機１１は高温高圧の冷媒１０４を吐出する。
【００６０】
吐出された冷媒１０４は、吐出配管３１を通って凝縮器（図示せず）にて放熱して凝縮液化し、キャピラリー３２で減圧され低温低圧の液冷媒となり、蒸発器９に至り、蒸発器９内の冷媒は蒸発気化され、熱交換された低温の冷気をダンパ（図示せず）で分配するこ
とで各室の冷却が行われる。
【００６１】
次に圧縮機１１の動作について説明する。
【００６２】
圧縮機１１に通電がなされると、ターミナル１１５、リード線１１６を通って電動要素１１０の固定子１１２に電気が供給され、固定子１１２が発生する回転磁界により回転子１１１が回転する。回転子１１１の回転により、回転子に連結されたシャフト１３０の偏芯部１３２がシャフト１３０の軸心より偏芯した回転運動を行う。シャフト１３０の偏芯運動は、偏芯部１３２に連結された連結手段１３７によって往復運動に変換され、連結手段１３７の他端に連結されたピストン１３６の往復運動となり、ピストン１３６は、圧縮室１３４内の容積を変化させながら冷媒１０４の吸入圧縮を行う。
【００６３】
ピストン１３６が、圧縮室１３４内で一往復中に吸入、吐出する容積を気筒容積と云い、気筒容積の大小で冷却する能力が変化する。
【００６４】
以上のような動作を行う冷蔵庫において、弾性部材２００と脚１０６によって支持された圧縮機１１は、冷蔵庫の天面２３と背面２８ａに渡って形成された凹部２７に搭載されているのであるが、凹部の深さ（高さ）は、少なくとも圧縮機１１の下容器１０１の底部と設置面２８ｂの最小隙間と、圧縮機１１の高さと、上容器１０２と天面カバー３４との最小隙間と、天面カバー３４の厚みが必要である。
【００６５】
圧縮機１１と設置面２８ｂや天面カバー３４との接触を回避する為に最小隙間が必要であり、天面カバー３４は強度面から最小肉厚が決まるとすると、凹部の深さ（高さ）は、圧縮機１１の高さで決定されてくる。
【００６６】
一方、冷蔵庫の庫内には、凹部２７により、凸部３０ｂが出張ってくる。凸部３０ｂが大きいと収納性が悪くなるとともに、冷蔵室回転扉５を開けて冷蔵室２の庫内を見たときに、凸部３０ｂの出張りで見栄えが悪くなる。従って、圧縮機１１の高さを低くする技術が必要になる。
【００６７】
圧縮機１１の高さについて具体的に説明する。圧縮機１１は、下容器１０１、上容器１０２に２から４ｍｍの鋼板を使っており、あわせて約７ｍｍである。下容器１０１と上容器１０２は、それぞれ上下方向に曲率を持たせた形状をしている。これは冷蔵庫が設置された居住空間を快適にするために、騒音の低い仕様が望まれるためで、容器に曲率をもたせることにより、容器の剛性、固有値が上がり、共振による騒音が抑制される。曲率は、半径でおよそＲ１００ｍｍからＲ１５０ｍｍであり、この曲率を得るために、片側でおよそ１３ｍｍ強が必要である。
【００６８】
次に、密閉容器１０３の底には、冷凍機油１０５が貯留されている。冷凍機油１０５は、圧縮機１１の様々な条件での運転を保証するために、およそ２００から２５０ｍｌ封入されており、高さでは、約２０ｍｍを占める。さらに、冷凍機油１０５と電動要素１１０が接触すると異常な入力増加となるため、接触しないための空間距離として約９ｍｍが必要となる。
【００６９】
圧縮機１１を冷蔵庫の天面２３に積載した冷蔵庫では、圧縮機１１がユーザーの耳の位置に近づくことから、圧縮機１１の騒音も小さく抑えることがより重要なため、密閉容器１０３の剛性の向上が重要であり、信頼性向上の観点から、冷凍機油１０５の確保も重要である。これらのことから、板厚の７ｍｍ、曲率による１３ｍｍ、曲率とオイルによる２０ｍｍ、空間距離確保に必要な９ｍｍを合わせて４９ｍｍが必要であり、この寸法を小さくすることは、特性上適切でない。
【００７０】
従って、圧縮機１１の高さは電動要素１１０と圧縮要素１１３により概ね決まってくる。圧縮要素１１３は、気筒容積を小さくすることにより、ピストン１３６や連結手段１３７、シャフト１３０、軸受部１３５をコンパクトにすることが出来るが、気筒容積が小さくなると冷凍能力が小さくなる。本実施の形態では、小さい気筒容積で大きい能力を得るために、商用電源周波数（日本国内においては、５０Ｈｚまたは６０Ｈｚ）よりも高い回転数で運転することで圧縮要素１１３をコンパクトにしている。より具体的には、気筒容積で約３０％小さくてすむため、ピストン１３６の径が小さくて済み、シャフト１３０に作用する荷重も小さくなるので、シャフトの荷重を支える軸受部１３５の長さも短くすることが出来、電動要素１１０を圧縮要素１１３に近づけて構成することが可能となる。インバーターによる高回転をうまく利用することにより、発明者の設計では、５から１０ｍｍコンパクトにすることが出来ている。
【００７１】
なお、インバーター方式による電動要素１１０の複数の回転数の設定は、必ずしも日本国内における商用電源周波数（５０Ｈｚまたは６０Ｈｚ）よりも高い周波数に相当する回転数を含んでいることを要件としない。
【００７２】
すなわち、複数定める周波数の上限を商用電源周波数（日本国内に限らず）を上回らない設定の組み合わせとして省エネルギー効果や静音効果を期待し、小型化に関しては、上述のインバーター化による電動要素１１０の厚み低減効果によって対応し、圧縮要素１１３の気筒容積のコンパクト化は敢えて採用しない組み合わせもある。
【００７３】
また、図より密閉容器１０３は上容器１０２と下容器１０１とを備えており、下容器１０１に固着した複数の脚１０６は弾性部材２００を介して凹部に設置するものであって、凹部の圧縮機設置面２８ｂには複数のピン１０８を設けるとともに、ピン１０８に弾性部材２００を配設することで、弾性部材２００の高さを圧縮機設置面２８ｂと圧縮機１１の最下部との距離よりも大きくなるように圧縮機１１を搭載している。
また、図７において、脚１０６と弾性部材１０６の接触面１０６ａより上方側を弾性部材の脚支持部２０１としており、この弾性部材２００の脚支持部２０１とピン１０８の間の水平方向においては緩衝空間Ａを有している。
【００７４】
また、弾性部材２００の脚支持部２０１の少なくとも上端部においてピン１０８との間の緩衝空間Ａ空間距離を脚支持部２０１の水平方向の肉厚以上としている。
【００７５】
さらに、脚支持部２０１よりも下方側に備えられ、弾性部材の鉛直方向に空間を備えた振動減衰部２０３の高さをピン支持部２０５の高さの８０％以上１１０％以下としている。
【００７６】
さらに、脚受け部２０２とピン支持部２０５の高さ方向の隙間を振動減衰部２０３の肉厚の９０％以上１１０％以下としている。
【００７７】
さらに、振動減衰部２０３の肉厚とピン支持部２０５との水平方向の隙間を振動減衰部２０３の肉厚の９０％以上１１０％以下としている
さらに、下部ピン接触部２０４の高さをピン１０８の直径の８０％以上１２０％以下としている。
【００７８】
さらに、弾性部材２００の高さを弾性部材２００の直径の８５％以上１１５％以下としている。
【００７９】
以上のような構成の圧縮機１１および弾性部材２００について、以下動作、作用を説明
する。
【００８０】
弾性部材２００の脚支持部２０１と前記ピン１０８の間の水平方向に緩衝空間Ａを有しているので、圧縮機１１の振動が脚支持部２０１を介して直接ピン１０８へ伝達しないため、圧縮機１１から冷蔵庫への振動伝達を低減できる。
【００８１】
また、弾性部材２００の脚支持部２０１の少なくとも上端部においてピン１０８との間の空間距離を脚支持部２０１の肉厚以上としているので、特に圧縮機１１の低周波数運転時に脚１０６の振動量が増加しても十分な空間距離を有しているため弾性部材２００と脚支持部２０１が接触しないため、圧縮機１１から冷蔵庫への振動伝達を低減できる。
【００８２】
さらに、振動減衰部２０３の高さをピン支持部２０５の高さの８０％以上１２０％以下としているので、ピン１０８への弾性部材２００の装着を確実にし、振動減衰部２０３において十分に振動を減衰させる高さを有するため、圧縮機１１から冷蔵庫への振動伝達を低減できる。前記数値は振動の減衰性を考慮すると８０％以上が望ましく、弾性部材２００の歪みや座屈などの信頼性を考慮すると１２０％以下が望ましいと考えられる。
【００８３】
さらに、脚受け部２０２とピン支持部２０５の高さ方向の隙間を振動減衰部２０３の肉厚の９０％以上１１０％以下としているので、冷蔵庫輸送時等の圧縮機１１の異常な挙動時においても脚受け部２０２とピン支持部２０５が接触してストッパーの役割を果たし圧縮機１１と冷蔵庫の相対的な揺れを軽減させることから、圧縮機１１のＵターン部３６や吐出配管３１に異常な応力がかからないため、信頼性に優れている。前記数値は脚受け部２０２とピン支持部２０５の通常運転時の接触を考慮すると９０％以上が望ましく、弾性部材２００の歪みや座屈などの信頼性を考慮すると１１０％以下が望ましいと考えられる。
【００８４】
さらに、振動減衰部２０３の肉厚とピン支持部２０５との水平方向の隙間を振動減衰部２０３の肉厚の９０％以上１１０％以下としているので、冷蔵庫輸送時等の圧縮機１１の異常な挙動時においても振動減衰部２０３とピン支持部２０５が接触してストッパーの役割を果たし圧縮機１１と冷蔵庫の相対的な揺れを軽減させることから、圧縮機１１のＵターン部３６や吐出配管３１に異常な応力がかからないため、信頼性に優れている。前記数値は振動減衰部２０３とピン支持部２０５の通常運転時の接触を考慮すると９０％以上が望ましく、弾性部材２００の歪みや座屈などの信頼性を考慮すると１１０％以下が望ましいと考えられる。
【００８５】
さらに、下部ピン接触部２０４の高さをピン１０８の直径の８０％以上１２０％以下としているので、ピン１０８への弾性部材２００の装着を確実にし、ピン１０８の強度を十分に保つため、信頼性に優れている。前記数値は下部ピン接触部２０４のピン１０８への確実な固定を考慮すると８０％以上が望ましく、弾性部材２００の歪みや座屈などの信頼性を考慮すると１２０％以下が望ましいと考えられる。
【００８６】
弾性部材２００の高さを弾性部材２００の直径の８５％以上１１５％以下としているので、圧縮機１１を冷蔵庫の上部に配置する際に大きな課題となる高さを抑え、防振性能を保つことが可能となるため、冷蔵庫本体に振動が伝達する懸念のある圧縮機上部配置型の冷蔵庫でも使用者の不快感を取り除くので高品位の冷蔵庫を提供することができる。前記数値は振動の減衰性を考慮すると８５％以上が望ましく、弾性部材２００の歪みや座屈などの信頼性や圧縮機登載時の高さを考慮すると１１５％以下が望ましいと考えられる。
【００８７】
（実施の形態２）
図８は、同実施の形態における冷蔵庫の弾性部材２０８の図である。
【００８８】
なお、図７と同一構成については、同一符号を付して詳細な説明を省略する。
【００８９】
また、実施の形態１と共通する技術思想および構成や作用効果については逐一述べないが、本実施の形態に適用して不合理が生じる事項でない限り、同様の内容が含まれているとするものである。
【００９０】
図において、ピン１０９と上部ピン接触部２０９が水平方向において少なくとも一箇所で接触しているものである。
【００９１】
さらに、上部ピン接触部２０９の肉厚が１ｍｍ以下であるものである。また脚支持部２０１の上部には脚１０６に向かって鉛直下方向に傾斜部２１１を有している。
さらに、ピン１０９の外周に少なくとも一箇所のリブ２１０を対角線上に有している。
さらに、リブ２１０の全外周寸法をピン１０９の外周寸法の２５％以上３５％以下としている。
【００９２】
以上のような構成のピン１０９および弾性部材２０８について、以下動作、作用を説明する。
【００９３】
図において、ピン１０９と上部ピン接触部２０９が少なくとも一箇所で接触している。あらかじめピン１０９と上部ピン接触部２０９が少なくとも一箇所で接触させることにより、圧縮機１１の振動量が増加しても、徐々にピン１０９と上部ピン接触部２０９の接触量が増加するので、接触による異音発生を抑制することができるため、圧縮機１１から冷蔵庫への振動伝達を低減できる。
【００９４】
また、上部ピン接触部２０９の肉厚が１ｍｍ以下としているので、上部ピン接触部２０９からピン１０９への振動伝達量を最小限に抑えることができるため、圧縮機１１から冷蔵庫への振動伝達を低減できる。前記数値は異音の発生抑制と振動の減衰を考慮すると１ｍｍ以下が望ましいと考えられる。
【００９５】
さらに、脚支持部２０１の上部には脚１０６に向かって鉛直下方向に傾斜部２１１を有しているため、脚支持部２０１の上部に向かって肉厚が薄くなるため振動の減衰率を大きくすることができる。
【００９６】
さらに、ピン１０９の外周に少なくとも一箇所のリブ２１０を対角線上に設けているので、上部ピン接触部２０９からピン１０９への振動伝達量を抑えることができるため、圧縮機１１から冷蔵庫への振動伝達を低減できる。
【００９７】
さらに、リブ２１０の全外周寸法をピン１０９の外周寸法の２５％以上３５％以下としているので、上部ピン接触部２０９からピン１０９への振動伝達量を最小限に抑えることができるため、圧縮機１１から冷蔵庫への振動伝達を低減できる。前記数値は振動の減衰性を考慮すると２５％以上が望ましく、異音の発生の抑制を考慮すると３５％以下が望ましいと考えられる。
【００９８】
従って、製造が容易で、冷蔵庫への振動伝達を低減できることとなり、不快な振動や、振動に起因する騒音発生の無い高品位の冷蔵庫を提供することができる。
【００９９】
リブの全外周寸法をピンの外周寸法の２５％以上３５％以下としたものである。これによって、上部ピン接触部からピンへの振動伝達量を最小限に抑えることができるため、圧縮機から冷蔵庫への振動伝達を低減できるので、低振動の高品位の冷蔵庫を提供すること
ができる。
【０１００】
また、振動減衰部の高さをピン支持部の高さの８０％以上９０％以下としたものである。これによって、ピンへの弾性部材の装着を確実にし、振動減衰部において十分に振動を減衰させる高さを有するため、圧縮機から冷蔵庫への振動伝達を低減できるので、低振動の高品位の冷蔵庫を提供することができる。
【０１０１】
また、脚受け部とピン支持部の高さ方向の隙間を振動減衰部の肉厚の９０％以上１１０％以下としたものである。これによって、冷蔵庫輸送時等の圧縮機の異常な挙動時においても脚受け部とピン支持部が接触してストッパーの役割を果たし圧縮機と冷蔵庫の相対的な揺れを軽減させることから、圧縮機の吸入配管や吐出配管に異常な応力がかからないため、信頼性に優れた高品位の冷蔵庫を提供することができる。
【０１０２】
また、振動減衰部の肉厚とピン支持部との水平方向の隙間を振動減衰部の肉厚の９０％以上１１０％以下としたものである。これによって、冷蔵庫輸送時等の圧縮機の異常な挙動時においても振動減衰部とピン支持部が接触してストッパーの役割を果たし圧縮機と冷蔵庫の相対的な揺れを軽減させることから、圧縮機の吸入配管や吐出配管に異常な応力がかからないため、信頼性に優れた高品位の冷蔵庫を提供することができる。
【０１０３】
また、下部ピン接触部の高さをピンの直径の８０％以上１２０％以下としたものである。
【０１０４】
これによって、ピンへの弾性部材の装着を確実にし、ピンの強度を十分に保つため、信頼性に優れた高品位の冷蔵庫を提供することができる。
【０１０５】
また、弾性部材の高さを弾性部材の直径の８５％以上１１５％以下としたものである。
【０１０６】
これによって、圧縮機を冷蔵庫の上部に配置する際に大きな課題となる高さを抑え、防振性能を保つことが可能となるため、冷蔵庫本体に振動が伝達する懸念のある圧縮機上部配置型の冷蔵庫でも使用者の不快感を取り除くので高品位の冷蔵庫を提供することができる。
【産業上の利用可能性】
【０１０７】
以上のように、本発明にかかる冷蔵庫は、庫内が有効且つ便利に使え、低振動低騒音化が図れるので、家庭用や業務用の冷蔵庫などの冷却装置を用いた機器に適用できる。
【符号の説明】
【０１０８】
１  箱本体
１１  圧縮機
１５ａ  扉
１５ｂ  貯蔵室
２３  天面
２７  凹部
２８ａ  背面
２８ｂ  圧縮機設置面
１０１  下容器
１０２  上容器
１０３  密閉容器
１０６  脚
１０８  ピン
１０９  ピン
１１０  電動要素
１１１  回転子
１１２  固定子
１１３  圧縮要素
２００  弾性部材ａ
２０１  脚支持部
２０２  脚受け部
２０３  振動減衰部
２０４  下部ピン接触部
２０５  ピン支持部
２０６  弾性部材高さ
２０７  弾性部材直径
２０８  弾性部材
２０９  上部ピン接触部
２１０  リブ
２１１  傾斜部
【図１】
0005423242.tif 000002
【図２】
0005423242.tif 000003
【図３】
0005423242.tif 000004
【図４】
0005423242.tif 000005
【図５】
0005423242.tif 000006
【図６】
0005423242.tif 000007
【図７】
0005423242.tif 000008
【図８】
0005423242.tif 000009
【図９】
0005423242.tif 000010